(57)【要約】【課題】  高度の小形化及び大きい極密度で確実な電気接触を保証しかつ小さく構成されて機器ソケットの使用を可能にする差込み装置及び差込み接続装置を提供する。【解決手段】  特に移動電話、小形コンピュータ等の機器の入−出力インタフェース用の電気差込み装置は、特に機器プラグ又はケーブルプラグのようなプラグとして構成される差込み装置を受入れる機器ソケットを含み、差込み装置が、絶縁物本体と、少なくとも１つの接触子列に設けられかつ機器ソケットの接触子と電気接触するための接触区域を持つ多数の接触子とを含み、扁平接触子として構成される接触子が、それぞれ１つの導体接続部分、締付け部分、及び接触区域を持つ弾性接触子脚辺を、差込み装置の差込み方向に関して順次に続く配置で持ち、その側縁を横に並べて設けられている。本発明により接触子列において順次に続くそれぞれ２つの接触子の少なくとも締付け部分が、異なる面に設けられ、接触子列の接触子の接触子脚辺が同じ面にある。【選択図】  図２
2005174942.tif 000002
【特許請求の範囲】
【請求項１】
差込み装置（１１）を受入れる機器ソケット（１２）を含む機器用の電気差込み装置（１１）が、絶縁物本体（３３）と、少なくとも１つの接触子列に設けられかつ機器ソケット（１２）の接触子（１４）と電気接触するための接触区域（４２）を持つ多数の接触子（３４，３５）とを含み、扁平接触子として構成される接触子（３４，３５）が、それぞれ１つの導体接続部分（３６，３７）、締付け部分（３８，３９）、及び接触区域（４２）を持つ弾性接触子脚辺（４０，４１）を、差込み装置（１１）の差込み方向に関して順次に続く配置で持ち、その側縁を横に並べて設けられているものにおいて、接触子列において順次に続くそれぞれ２つの接触子（３４，３５）の少なくとも締付け部分（３８，３９）が、異なる面（Ｅ２，Ｅ３）に設けられ、接触子列の接触子（３４，３５）の接触子脚辺（４０，４１）が同じ面（Ｅ１）にあることを特徴とする、電気差込み装置。
【請求項２】
すべての接触子（３４，３５）の締付け部分（３８，３９）が、２つの異なる面（Ｅ２，Ｅ３）のそれぞれ１つに交互に設けられているように、接触子列の１つおきの接触子（３５）が変形されていることを特徴とする、請求項１に記載の差込み装置。
【請求項３】
変形されている接触子（３５）がそれぞれ少なくとも１つの屈曲部（４３）を持っていることを特徴とする、請求項１又は２に記載の差込み装置。
【請求項４】
接触子（３４，３５）が、締付け部分（３８，３９）と接触区域（４２）との間の移行範囲で幅狭くなっていることを特徴とする、請求項３に記載の差込み装置。
【請求項５】
接触子（３５）が締付け部分（３９）から接触区域（４２）へ先細になる範囲に、接触子（３５）の屈曲部（４３）が形成されていることを特徴とする、請求項３又は４に記載の差込み装置。
【請求項６】
各接触子（３４，３５）の締付け部分（３８，３９）の幅が、接触子ラスタ（３２）に実質的に一致していることを特徴とする、請求項３〜５の１つに記載の差込み装置。
【請求項７】
締付け部分（３９）と導体接続部分（３７）の自由端との間の範囲に、接触子（３５）の別の屈曲部（４５）が設けられていることを特徴とする、請求項３〜５の１つに記載の差込み装置。
【請求項８】
別の屈曲部（４５）に続く導体接続部分（３７）が、屈曲されない接触子（３４）の面（Ｅ２）から屈曲された接触子（３５）より大きく離れている別の面（Ｅ４）を規定していることを特徴とする、請求項７に記載の差込み装置。
【請求項９】
接触子列の順次に続くそれぞれ２つの接触子の導体接続部分が、異なる長さであるか、又はそれぞれの締付け部分から異なる間隔をとっていることを特徴とする、請求項１〜８の１つに記載の差込み装置。
【請求項１０】
電気差込み接続装置が機器ソケット（１２）及びそれに合ったプラグ（１１）を含み、機器ソケット（１２）が印刷回路板に取付けられるプラスチックハウジング（１３）を含み、このプラスチックハウジングに、プラグ（１１）の接触子と印刷回路板の帯状導体とを導電接続する接触子（１４）が収容され、プラグ（１１）が、機器ソケット（１２）の差込み受入れ部へ導入するため、正面に差込み延長部（２０）を持ち、この差込み延長部が、少なくとも１つの面に、弾性的に撓む少なくとも１つの係止部材（１７）を持ち、この係止部材が、機器ソケット（１２）の差込み受入れ部にある相手係止部材（１６）と共同作用し、係止部材（１７）が、打抜き部（２６）により薄板（１８）から遊離されるけれども両方の端部（２７）を薄板（１８）と一体に結合されたままである条片（２５）からの打出し部（２４）により突出形成されているものにおいて、断面が扁平長方形の差込み延長部（２０）において係止部材（１７）が、金属薄板（１８）の幅の狭い側面に形成され、相手係止部材（１６）が、機器ソケット（１２）の金属湾曲片（１５）から打抜かれた窓（２９）により形成され、窓（２９）を遊離する条片（３０）が保護板として窓（２９）の外側に延びていることを特徴とする、電気差込み接続装置。
【発明の詳細な説明】
【技術分野】
【０００１】  本発明は、特に移動電話、小形コンピュータ等の機器の入−出力インタフェース用の電気差込み装置が、例えば機器プラグ又はケーブルプラグのようなプラグとして構成される差込み装置を受入れる機器ソケットを含み、差込み装置が、絶縁物本体と、少なくとも１つの接触子列に設けられかつ機器ソケットの接触子と電気接触するための接触区域を持つ多数の接触子とを含み、扁平接触子として構成される接触子が、それぞれ１つの導体接続部分、締付け部分、及び接触区域を持つ弾性接触子脚辺を、差込み装置の差込み方向に関して順次に続く配置で持ち、その側縁を横に並べて設けられているものに関する。
【背景技術】
【０００２】  本発明は、例えばドイツ連邦共和国特許第１０１０４２８８号明細書に記載されかつ説明されているような差込み装置から出発している。関連する従来技術には、前記特許明細書に従って特許権者により販売されている差込み接続装置も含まれる。【０００３】  本発明にとって重要な従来技術の特徴は、差込み装置内における幅の狭い細長い接触子であり、これらの接触子はばね板又は接触子板から製造され、差込み装置において少なくとも１つの面に設けられている。接触子の板面は同じ面にあり、側縁は横に並んでいる。差込み装置の差込み方向において前の範囲において、接触子は接触区域を持ち、差込み装置が機器ソケットへ差込まれると、これらの接触区域が機器ソケットの接触子に押圧接触し、それにより導電接続される。【０００４】  最初にあげた入−出力インタフェースは差込み可能な接続部であり、これらの接続部を介して例えば移動電話が、送話装置、蓄電池又はパソコンを持つ電話に接続するためのデータケーブルに接続可能である。機器の不断の小形化にもかかわらず一層の技術的精巧さが与えられるこのような機器の進行する小形化の過程において、入−出力インタフェースを設けるためにますます小さい空間が利用可能である。従って入−出力インタフェースとそれに伴って差込み装置又は差込み接続装置を同様に一層小形化するという、差し迫った要求がある。【０００５】  差込み装置又は差込み接続装置の接触子は、弾性を持つ接触子金属から例えば打抜かれ、曲げにより必要な又は所望の形状にされねばならないので、このような接触子はある程度以上には殆ど小さくならない。接触子がその小ささにもかかわらずなおかなりの接触力を生じることの必要性は、接触子のそれ以上の小形化を妨げる。従来技術では、約１ｍｍのしかもそれ以下の接触子ラスタに達している。
【発明の開示】
【発明が解決しようとする課題】
【０００６】  本発明の課題は、高度の小形化と大きい極密度で確実な電気接触を保証し、巧みな接触子配置により非常に小さく構成される機器ソケットの使用を可能にする、差込み装置又は差込み接続装置を提案することである。
【課題を解決するための手段】
【０００７】  本発明は、請求項１の特徴を持つ差込み装置においてこの課題を解決し、従って接触子列において順次に続くそれぞれ２つの接触子の少なくとも締付け部分が、異なる面に設けられ、接触子列の接触子の接触子脚辺が同じ面にあることを特徴としている。【０００８】  従って本発明の重要な核心は、差込み装置にある接触子の締付け部分（及び場合によっては導体接続部分）を、少なくとも２つの面に納めることである。その際本発明は、極めて小さい機器ソケットが必ずしも極めて小さい機器ソケットを必要としない、という考えから導かれている。少なくとも２つの面に接触子を設けるため、特に差込み装置が常に一時的にのみ機器にはめられるか又は機器が差込み装置に接続されることは、場所的な理由から必ずしも不利ではない。【０００９】  とりわけ本発明から生じる利点は、締付け部分が比較的幅広く、従って特に加えるべき接触子ばね力のためにも安定に構成され、差込み装置の絶縁体中に特に確実に保持されるか又は係留されることである。これに対し接触子脚辺は機器ソケットの所望の狭い構造を考慮する自由度で構成することができる。【００１０】  本発明の展開によれば、すべての接触子の締付け部分が、２つの異なる面のそれぞれ１つに交互に設けられているように、接触子列の１つおきの接触子が変形されている。その場合変形されている接触子がそれぞれ少なくとも１つの屈曲部を持つことができる。今まで１つの面に設けられていた接触子に関して、今や少なくともその締付け部分が例えば２つの平行な面に設けられている。両方の面の各々において絶縁体が、例えば押込み空所又は押込み室のように必要な保持部を、接触子の固定のために問題なく準備する。従来の差込み装置と比較して、他の点では変らない設計で、前記両方の面の間隔寸法だけ全高を大きくすればよい。【００１１】  １つの実施形態によれば、接触子が、締付け部分と接触区域との間の移行範囲で幅狭くなっているので、例えば必要なクリープ間隔及び放電間隔の維持にとって重要な接触子間隔を、機器ソケットにおいて容易に維持することができる。【００１２】  別の実施形態では、接触子が締付け部分から接触区域へ先細になる範囲に、接触子の屈曲部が形成されている。【００１３】  各接触子の締付け部分の幅が、接触子ラスタに実質的に一致しているようにすることができる。【００１４】  差込み装置内で導体接続部を簡単化するため、締付け部分と導体接続部分の自由端との間の範囲に、接触子の別の屈曲部が設けられ、別の屈曲部に続く導体接続部分が、屈曲されない接触子の面から屈曲された接触子より大きく離れている別の面を規定しているようにすることができる。接触子列の順次に続くそれぞれ２つの接触子の導体接続部分が、異なる長さであるか、又はそれぞれの締付け部分から異なる間隔をとっているようにすることができる。【００１５】  更に本発明は、特に移動電話、小形コンピュータ等の機器の入−出力インタフェース用の電気差込み接続装置に関し、この電気差込み接続装置が機器ソケット及びそれに合った機器プラグ又はケーブルプラグのようなプラグを含み、機器ソケットが印刷回路板に取付けられるプラスチックハウジングを含み、このプラスチックハウジングに、プラグの接触子と印刷回路板の帯状導体とを導電接続する接触子が収容され、プラグが、機器ソケットの差込み受入れ部へ導入するため、正面に差込み延長部を持ち、この差込み延長部が、少なくとも１つの面に、弾性的に撓む少なくとも１つの係止突起のような係止部材を持ち、この係止部材が、機器ソケットの差込み受入れ部にある係止肩部のような相手係止部材と共同作用し、係止部材が、打抜き部により薄板から遊離されるけれども両方の端部を薄板と一体に結合されたままである条片からの打出し部により突出形成されている（ドイツ連邦共和国特許第１０１０４２８８号明細書参照）。【００１６】  そこでは、接触子に対向する差込み延長部の幅の広い側に属する金属薄板の部分から係止部材が構成されているが、本発明によれば、係止部材は金属薄板の幅の狭い側面に設けられているので、機器ソケットを特に幅狭く又は低い高さに構成することができる。幅の狭い側面に係止部材を設けると、幅広い側に設ける場合に比較して、差込み接続装置の断面を小さくすることもできる。【００１７】  更に本発明の特徴は、相手係止部材が、機器ソケットの金属湾曲片から打抜かれた窓により形成され、窓を遊離する条片が保護板として窓の外側に延びていることである。環状に打抜かれた窓を含む公知の係止部材とは異なり、窓を形成するため金属湾曲片から切抜かれる材料は除去されず、舌片として金属湾曲片に残って、窓の外側に延び、機器へ入って作動の障害をひき起こす粒子又は不純物が窓から出るのを防止する保護板を形成している。【００１８】  本発明は、図面に示されている実施例の以下の説明により最もよく理解される。
【発明を実施するための最良の形態】
【００１９】  全体に符号１０を付けた差込み装置に、差込み装置にあるフラグ１１及び機器ソケット１２が属している。【００２０】  機器ソケット１２は、電気機器例えば移動電話、小形コンピュータ等に取付けるのに用いられる。この機器ソケット１２は、多数の金属接触子１４が設けられているプラスチックハウジング１３を含んでいる。接触子１４は、図１には見えない終端部分をプラグ１１の同様に図示してない接触子に接触させるのに用いられる。その図１〜３に示す他端は、表面取付け装置（ＳＭＤ）ろう付け脚辺等として、図示しない印刷回路板に接続するために構成されている。差込み接続装置１０の接触は図８〜１０に示されている。【００２１】  プラグ１１は、プラスチックから成る握り体２１と、プラグ１１に接続される図示しないケーブル用の屈曲防止短管２２とを含んでいる。【００２２】  図２には、機器ソケット１２の２つの接触子１４の間隔が３２で示されている。ラスタとも称されるこの間隔３２は、著しく小形化された機器の差込み接続装置では、当然非常に小さく、１ｍｍ又はそれ以下である。【００２３】  プラグ１１は絶縁物本体３３と、その中に埋込まれるか係留されて極数に相当する数の接触子３４及び３５とを持っている。接触子３４及び３５は、接触子薄板から打抜かれたいわゆる扁平接触子であり、１つの面にある幅の広い面と密に接して並べられる幅の狭い側縁とを持つ接触子列をなして設けられている。【００２４】  各接触子３４及び３５は、それぞれその縦方向に見て、導体接続部分３６及び３７、締付け部分３８及び３９、及び弾性接触子脚辺４０及び４１を持っている。弾性接触子脚辺４０及び４１の自由端は、特に図６，７，９及び１０に示すように変形されて、所定の接触区域４２を形成している。接触子３４及び３５の接触区域４２は、差込み接続装置１１，１２が結合されると、機器ソケット１２（図９及び１０）の対応する接触子１４に圧接される。【００２５】  １つの接触子列において順次に続くそれぞれ２つの接触子３４及び３５は、以下に説明するように異なるように形成されている。【００２６】  すべての接触子３４及び３５にまず共通なことは、その弾性接触子脚辺４０，４１の接触区域４２が同じ面に設けられていることである。この面は、差込み接続装置１１，１２の接触しない状態で、図６及び７にＥ１で示されている。弾性接触子脚辺４０及び４１は、この面Ｅ１へ向かって予荷重をかけられているので、接触区域４２の接触の際、機器ソケット１２の接触子１４上で、特に図９に示すように、少し上方へ撓む。接触状態で、すべての接触子の接触区域４２は、面Ｅ１より少し上にある図９の面Ｅ′１にある。【００２７】  接触子３４は、曲げられて接触区域４２を規定する端部を除いて、図６及び７、８〜１０に示すように、ほぼその縦方向にまっすぐに延びるように構成されている。その点で接触子３４を「変形されない」接触子とも称することができる。【００２８】  これに反し接触子３５の締付け部分３９は、面Ｅ２とは異なる面（図７のＥ３）で、プラグ１１の絶縁物本体３３に係留されている。従って接触子３５は屈曲部４３を持ち、「変形された」接触子と称することができる。【００２９】  実施例では、��つの接触子列において、それぞれ１つの接触子３４と接触子３５が交互に順次に続いている。【００３０】  この構成及び配置のため、接触子３４及び３５は、比較的幅の広い締付け部分３８及び３９で、プラグ１１に収容して固定されることができるが、これは他の場合不可能である。なぜならば、プラグ１１の絶縁物本体３３における締付け部分３８及び３９の同じ面における配置及び同じ幅の場合、接触子３４及び３５を固定的に保持するためのプラスチック材料が充分利用されないか、又は設けられていないからである。【００３１】  その結果次のような本発明の重要な利点が生じる。即ち図８に４４で示す長さ範囲において、接触子の幅を非常に大きくすることができ、しかも接触子間隔３２にほぼ等しくすることができる。この範囲４４は、締付け部分３８及び３９と弾性接触子脚辺４０及び４１の最初の部分を含んでいる。更に図８からわかるように、弾性接触子脚辺４０及び４１は、それから自由端の方へ幅狭くなっている。【００３２】  図示した実施例では、接触子３Ｓは更にほぼＳ状又はＺ状の別の屈曲部４５を持ち、しかも締付け部分３９と別の面Ｅ４（図７）を規定する導体接続部分３７との間に持っている。なお接触子３５の導体接続部分３７は、接触子３４の導体接続部分３６より長い。こうして（図４及び８参照）、接続すべき導線の絶縁物を除去された端部を、容易に接近可能な導体部分３６及び３７へ簡単にろう付けすることができる。【００３３】  機器ソケット１２にある接触子１４及び付属するプラグ１１の接触子３４及び３５の接触区域４２もそれぞれただ１つの列に設けられている差込み接続装置１０が示され、かつ説明されている。これは、ここで問題としている種類の差込み接続装置では一般である。この場合接触子３４及び３５の締付け部分３８及び３９は、明らかに２つの面Ｅ２及びＥ３に設けられている。【００３４】  複数の平行な接触子列が存在する場合、各接触子列内で接触子の締付け部分が異なる面に設けられるので、プラグ１１の絶縁物本体３３内に大きい極密度で接触子を収容し、その中に確実に保持することができる。【００３５】  機器ソケット１２へのプラグ１１の差込み後、差込み接続装置１０の予期しない外れを防止するため、プラグ１１の差込み延長部２０が薄板１８を持ち、この薄板に係止部材１７が突出成形されて、機器ソケット１２の金属湾曲片１５と共同作用する。【００３６】  係止部材１７は条片２５からの打出し部２４として構成されている。条片２５は薄板１８から打抜き部２６により遊離されている。その特徴は、条片２５の両方の端部２７が薄板１８と結合されたままになっていることである。従って係止部材１７は、別の物体が引っ掛かって係止部材１７を曲げることがある突出端部を持たないことである。【００３７】  打出し部２４を持つ条片２５は、まず打抜き部２６により遊離される平らな条片２５が持つ長さより大きい長さを持っている。打出し部２４により、余分な長さが形成される、ある程度の材料伸張を生じ、この材料伸張による冷間硬化が、係止部材２４を特にその表面において非常に硬くかつ安定にする。【００３８】  機器ソケット１２にある相手係止部材１６は、金属湾曲片１５のそれぞれの側面��打抜かれる窓２９の縁２８により形成され、しかも窓２９をあける条片３０の切込み及び突出成形により形成されている。条片３０は、その付け根３１を金属湾曲片１５に結合されたままであり、特に図１１からわかるように、窓２９の外側に導かれている。それにより条片３０は、特にプラグ側の係止部材１７と共に、窓２９を閉鎖しているので、汚染物が機器ソケット１２の内部から機器へ侵入することはない。
【図面の簡単な説明】
【００３９】
【図１】  機器ソケット及び差込み装置としてのケーブルプラグを持つ差込み接続装置の斜視図を示す。
【図２】  図１によるソケット及び差込み延長部の斜視図を示す。
【図３】  接続された差込み接続装置の機器ソケットを一部切欠いた斜視図で示す。
【図４】  絶縁物ハウジングなしの差込み装置の差込み延長部の底面図を示す。
【図５】  図４の切断線Ｖ−Ｖによる断面図を示す。
【図６】  第１の形式の接触子を図４の切断線ＶＩ−ＶＩによる断面図で示す。
【図７】  機器ソケットの接触子と接触する第２の形式の接触子を図４の切断線ＶＩＩ−ＶＩＩによる断面図で示す。
【図８】  ２つの隣接する接触子の下面図を示す。
【図９】  ２つの隣接する接触子の側面図を示す。
【図１０】  接触区域が機器ソケットの接触子に作用する２つの隣接する接触子の斜視図を示す。
【図１１】  差込み装置と機器ソケットとの間の係合部の拡大図を示す。
【符号の説明】
【００４０】１０              差込み接続装置
１１              差込み装置
１２              機器ソケット
１３              絶縁物ハウジング
１４              接触子
１６              相手係止部材
１７              係止部材
１８              薄板
２０              差込み延長部
２１              握り体
２２              屈曲防止短管
２４              打出し部
２５              条片
２６              打抜き部
２７              端部
２９              窓
３０              条片
３３              絶縁物本体
３４，３５        接触子
３６，３７        導体接続部分
３８，３９        締付け部分
４０，４１        接触子脚辺
４２              接触区域
【図１】
2005174942.tif 000003
【図２】
2005174942.tif 000004
【図３】
2005174942.tif 000005
【図４】
2005174942.tif 000006
【図５】
2005174942.tif 000007
【図６】
2005174942.tif 000008
【図７】
2005174942.tif 000009
【図８】
2005174942.tif 000010
【図９】
2005174942.tif 000011
【図１０】
2005174942.tif 000012
【図１１】
2005174942.tif 000013